(57)【特許請求の範囲】
【請求項１】
対象物が撮像されてなる撮像画像を表示する表示画面と、表示された撮像画像に関して設定項目毎に設定された処理条件に基づいて画像処理を実行する画像処理部と、処理条件が設定されるよう入力操作される入力操作部と、を備え、前記処理条件の設定時には、設定項目を選択して処理条件を設定する画像処理メニューが表示画面上に表示され、前記画像処理メニューを表示する前に、前記設定項目のうちいずれを画像処理メニュー上で選択可能とするかを設定項目毎に設定する確認入力欄を表示するよう成したことを特徴とする画像処理装置。
【請求項２】
前記画像処理メニューは、前記確認入力欄の設定後の前記入力操作部による所定入力でもって直ちに表示されたことを特徴とする請求項１記載の画像処理装置。
【請求項３】
前記設定項目は複数であり、前記画像処理メニューは前記設定項目の名称を複数個表示するものであって、前記画像処理メニューは、複数個の前記設定項目うち、予め前記確認入力欄で設定された前記設定項目の名称を、他の前記設定項目の名称よりも際立って表示するよう成したことを特徴とする請求項１又は請求項２に記載の画像処理装置。
【発明の詳細な説明】
【０００１】
【発明の属する技術分野】
本発明は、ＦＡ等で使用される画像処理装置に関するものである。
【０００２】
【従来の技術】
従来、この種の画像処理装置として図７に示すものが存在する。このものは、表示画面A 、画像処理部B 、入力操作部C を備えている。表示画面A は、対象物が撮像されてなる撮像画像を表示する。画像処理部B は、ＣＰＵであって、表示された撮像画像に関して、所定項目毎に設定された処理条件に基づいて、画像処理を実行する。入力操作部C は、処理条件が入力操作される。
【０００３】
次に、このものによる所定の処理条件の入力操作について説明する。このものは、図８に示すように、大項目から小項目へと、左上から右下に順に辿ることによって、より細かい選択をすることができる、いわゆるツリー図が、表示画面A に表示され、入力操作部B のキー操作により、表示されたツリー図を実際に辿ることによって、所定の処理条件が入力操作される。
【０００４】
具体的には、図８に示すように、この画像処理装置により、例えば、エッジ検出及び特徴抽出といった画像処理が可能である場合、初めに、どのような画像処理をするのかを選択し、例えば、特徴抽出という画像処理を選択したとき、矩形の特徴抽出をするのか、多角形の特徴抽出をするのか、又は、円・楕円の特徴抽出をするのかを選択する。
【０００５】
ここで、円・楕円の特徴抽出を選択した場合、エリア境界処理の設定、検査対象の設定、ラベリング処理の設定といった、複数種の設定項目のうち、いずれの設定をするのかを選択し、例えば、エリア境界処理の設定項目を選択したとき、エリア境界処理の無効又はエリア境界処理の有効のいずれかの設定項目を選択して、所定の処理条件を入力することとなる。
【０００６】
【発明が解決しようとする課題】
上記した従来の画像処理装置にあっては、設定される項目が多くなると、ツリー図が長くなって、表示画面A に一度に表示できなくなる場合があり、このように、表示画面A に一度に表示できなくなるとき、必ず設定されなければならない項目が、飛び飛びで存在すると、ついうっかり、設定し忘れる恐れがある。
【０００７】
本発明は、上記の点に着目してなされたもので、その目的とするところは、所定の処理条件が確実に入力操作される画像処理装置を提供することにある。
【０００８】
【課題を解決するための手段】
上記した課題を解決するために、請求項１記載の発明は、対象物が撮像されてなる撮像画像を表示する表示画面と、表示された撮像画像に関して設定項目毎に設定された処理条件に基づいて画像処理を実行する画像処理部と、処理条件が設定されるよう入力操作される入力操作部と、を備え、前記処理条件の設定時には、設定項目を選択して処理条件を設定する画像処理メニューが表示画面上に表示され、前記画像処理メニューを表示する前に、前記設定項目のうちいずれを画像処理メニュー上で選択可能とするかを設定項目毎に設定する確認入力欄を表示する構成にしている。
【０００９】
請求項２記載の発明は、請求項１記載の発明において、前記画像処理メニューは、前記確認入力欄の設定後の前記入力操作部による所定入力でもって直ちに表示された構成にしている。
【００１０】
請求項３記載の発明は、請求項１又は請求項２に記載の発明において、前記設定項目は複数であり、前記画像処理メニューは前記設定項目の名称を複数個表示するものであって、前記画像処理メニューは、複数個の前記設定項目うち、予め前記確認入力欄で設定された前記設定項目の名称を、他の前記設定項目の名称よりも際立って表示する構成にしている。
【００１２】
【発明の実施の形態】
本発明の第１実施形態を図１乃至図４に基づいて以下に説明する。この画像処理装置は、ＴＶカメラ1 、第１の画像撮入メモリ2 、第２の画像撮入メモリ3 、表示部4 、第１の画像表示メモリ5 、第２の画像表示メモリ6 、ルックアップテーブル7 、オーバーレイメモリ8 、ＣＰＵ（画像処理部）9 、ＲＯＭ10、ＲＡＭ11、入力操作部12を備えている。
【００１３】
ＴＶカメラ1 は、対象物を撮像する。第１の画像撮入メモリ2 及び第２の画像撮入メモリ3 は、対象物が撮像されてなる撮像画像Ｐ1 を交互に格納する。表示部4 は、撮像画像を表示する表示画面41が設けられている。第１の画像表示メモリ5 、第２の画像表示メモリ6 はいずれも、表示部4 の有する表示画面41に表示される撮像画像Ｐ1 を格納する。ルックアップテーブル7 は、表示部4 の表示画面41の輝度変換を行うためのデータを格納している。オーバーレイメモリ8 は、表示部4 の表示画面41でオーバーラップ表示をするためのデータを格納している。
【００１４】
ＣＰＵ（画像処理部）9 は、表示画面41の表示画像に関して計算を行い、所定の処理条件に基づき画像処理を実行する。ＲＯＭ10は、ＣＰＵ9 の動作手順を格納している。ＲＡＭ11は、ＣＰＵ9 が動作するための記憶領域を有している。入力操作部12は、例えば、キーボードであって、所定の処理条件が入力操作される。
【００１５】
次に、図４を参照しながら、図１及び図２に基づき、入力操作部12による所定の処理条件の入力操作について詳しく説明する。
【００１６】
本画像処理装置では、画像処理を実行するための処理条件が所定項目毎に設定されるに際して、撮像画像を表示する表示画面41に、図１(a) に示すメニュー41a が表示されている。
【００１７】
この状態で、入力操作部12であるキーボードの、例えば、上下キー及び確定キーの操作により、図４のフローに示すように、確認用画面41b を表示することを選択すると、図１(b) に示すように、確認用画面41b が表示されて、「エッジ検出」という名称の画像処理を実行するために処理条件が設定される所定項目の名称、すなわち、「走査領域」、「検出方向」、「検出条件」等が表示されるとともに、所定項目毎に処理条件を設定することを確認する確認入力欄41c が、所定項目の名称に隣接して表示される。
【００１８】
なお、図１(b) には、「エッジ検出」という名称の画像処理を実行するために処理条件が設定される所定項目が表示されているが、入力操作部12の操作により、他の名称の画像処理を実行するために処理条件が設定される所定項目が表示される。
【００１９】
ここで、「検出方向」という名称の設定項目の処理条件を設定するために、入力操作部12であるキーボードの、例えば、上下キーの操作により、「検出方向」という名称の設定項目を選択すると、選択された設定項目の名称である「検出方向」は、図１(b) に示すように、選択されなかった名称である「走査領域」及び「検出条件」と比較して際立って表示される、いわゆるハイライト表示がなされる。なお、点滅表示により、際立って表示されるようにしてもよい。
【００２０】
それから、入力操作部12であるキーボードの、例えば、確定キーの操作により、「検出方向」という名称の設定項目の選択を確定して、図４のフローに示すように、必要な設定項目を選択すると、「検出方向」という名称に隣接して表示された確認入力欄41c に、「×」が入力されて、処理条件を設定することが確認される。つまり、確認入力欄41c に入力された「×」は、処理条件を設定することを確認する確認入力となっている。
【００２１】
それから、入力操作部12の所定の操作により、図２(a) に示すように、確認用画面41b が表示されなくなる。この状態で、入力操作部12の、例えば、上下キー及び確定キーの操作により、確認用画面41b を表示することを選択すると、確認用画面41b が再度表示され、確認用画面41b を表示しないことを選択すると、図４のフローに示すように、処理条件を設定することを確認するフローが終了するとともに、図２(b) に示すように、処理条件を設定するための所定の表示がなされる。
【００２２】
この所定の表示では、実行する画像処理の名称「２値化処理」「特徴抽出」「エッジ検出」を示す画像処理メニュー41d が表示されている。ただし、処理条件が設定されることが、前述した確認入力により設定条件が設定されることが確認されている設定項目「検出方向」を有していない画像処理の名称「２値化処理」「特徴抽出」については、確認入力により設定条件が設定されることが確認されている設定項目「検出方向」を有した「エッジ検出」に比較して、不明瞭な表示となっている。従って、不明瞭な表示となっている「２値化処理」「特徴抽出」という名称の画像処理は、入力操作部12の所定の操作により選択不能となっている。
【００２３】
それから、入力操作部12の所定の操作により、名称が「エッジ検出」である画像処理を選択すると、処理条件が設定される設定項目の候補の名称「走査領域」「検出方向」「検出条件」が表示される。ただし、処理条件が設定されることが、前述した確認入力により設定条件が設定されることが確認されていない設定項目の名称「走査領域」「検出条件」は、前述した確認入力により設定条件が設定されることが確認されている設定項目の名称「検出方向」に比較して、不明瞭な表示がなされ、いわゆるハイド表示となっている。
【００２４】
このように、不明瞭な表示となっている「走査領域」「検出条件」という名称の設定項目は、入力操作部12の所定の操作により選択不能となっており、処理条件の設定が不可能となっている。言い換えれば、不明瞭な表示となっていない「検出方向」という名称の設定項目は、不明瞭な表示となっていない「エッジ検出」という名称の画像処理と共に、入力操作部12の所定の操作により選択可能となっており、処理条件の設定が可能となっている。
【００２５】
かかる画像処理装置にあっては、処理条件を入力するための所定の表示がなされる前に表示画面に表示された確認入力欄41c に、処理条件を設定することを所定項目毎に確認するための確認入力をすることによって、処理条件を設定し忘れるようなことがなくなり、処理条件を確実に入力操作することができる。
【００２６】
また、複数項目の設定項目うち処理条件の設定される設定項目の名称は、他の設定項目の名称よりも際立って表示されるから、処理条件の設定される設定項目を確認し易くなり、処理条件を確実に入力操作することができるという効果を、一段と奏することができる。
【００２７】
また、確認入力欄41c に確認入力がなされていない設定項目については、処理条件の設定が不可能なのであるから、処理条件を確実に入力操作することができるという効果を、一段と奏することができる。
【００２８】
次に、本発明の第２実施形態を図５及び図６に基づいて以下に説明する。なお、第１実施形態と実質的に同一の機能を有する部分には同一の符号を付し、第１実施形態と異なるところのみ記す。第１実施形態では、処理条件を入力するための所定の表示は、確認用画面41b を表示するか又は確認用画面41b を表示しないかという選択をするための画面を経てから表示されるのに対し、本実施形態では、確認入力後に、例えば、入力操作部12の確定キーの操作により所定入力がなされることでもって、直ちに表示される構成となっている。
【００２９】
従って、本実施形態を説明する図５及び図６には、第１実施形態を説明する図２(a) に相当する図面が省略されている。
【００３０】
かかる画像処理装置にあっては、第１実施形態の効果に加えて、処理条件を入力するための所定の表示が、確認入力後の入力操作部12による所定入力でもって直ちに表示されるから、確認入力欄41c の表示画面41から他の表示画面41に切替えてからでなくても、所定の表示をすることができ、効率良く入力操作をすることができる。
【００３１】
【発明の効果】
請求項１記載の発明は、処理条件を入力するための所定の表示がなされる前に表示画面に表示された確認入力欄に、処理条件を設定することを所定項目毎に確認するための確認入力をすることによって、処理条件を設定し忘れるようなことがなくなり、処理条件を確実に入力操作することができる。又、確認入力欄に確認入力がなされていない設定項目については、処理条件の設定が不可能なのであるから、処理条件を確実に入力操作することができる。
【００３２】
請求項２記載の発明は、請求項１記載の発明の効果に加えて、処理条件を入力するための所定の表示が、確認入力後の入力操作部による所定入力により直ちに表示されるから、確認入力欄の表示画面から他の表示画面に切替えてからでなくても、所定の表示をすることができ、効率良く入力操作をすることができる。
【００３３】
請求項３記載の発明は、請求項１又は請求項２の発明の効果に加えて、複数項目の設定項目うち処理条件の設定される設定項目の名称は、他の設定項目の名称よりも際立って表示されるから、処理条件の設定される設定項目を確認し易くなり、処理条件を確実に入力操作することができるという請求項１記載の発明の効果を、一段と奏することができる。
【図面の簡単な説明】
【図１】本発明の第１実施形態による所定の処理条件の入力操作の手順を示す表示画面である。
【図２】図１に続く入力操作の手順を示す表示画面である。
【図３】同上の構成図である。
【図４】同上による所定の処理条件の入力操作の手順を示すフローチャートである。
【図５】本発明の第２実施形態による所定の処理条件の入力操作の手順を示す表示画面である。
【図６】図５に続く入力操作の手順を示す表示画面である。
【図７】従来例の構成図である。
【図８】所定の処理条件を選択するためのツリー図である。
【符号の説明】
41  表示画面
41c 確認入力欄
9   画像処理部（ＣＰＵ）
12  入力操作部
【図１】
0003864615.tif 000002
【図２】
0003864615.tif 000003
【図３】
0003864615.tif 000004
【図４】
0003864615.tif 000005
【図５】
0003864615.tif 000006
【図６】
0003864615.tif 000007
【図７】
0003864615.tif 000008
【図８】
0003864615.tif 000009